(57)【要約】【課題】神棚を装備していない家庭や店舗・事務所が増える中、現代の生活状況や習慣に調和するような簡素な構造にて、さまざまな幅のお神札を、その尊厳や外観を損なうことのないよう、側面から保持するお神札固定具及びお神札立てを提供することである。【解決手段】裏面が平坦な支持体１から、二本の長尺の弾性材２１、２２が距離をおいて互いに異方向の斜め上方に延設され、前方から見た時にＸ字状となるよう形成され、この二本の長尺の弾性材２１、２２の先端は各々前方に直角に曲げられた屈曲部２３、２４が設けられ、両屈曲部２３、２４には相対向する平面を備えた凹部を有する挟持体３１、３２が取付けられている。さらに、支持体１にはビス穴が設けられ、壁面などに固定できる。又略垂直なアーム付きの台座などと連結しても良い。【選択図】            図１
2004248712.tif 000002
【特許請求の範囲】
【請求項１】
裏面が平坦な支持体から、二本の長尺の弾性材が距離をおいて互いに異方向の斜め上方に延設され、前方から見た時にＸ字状となるよう形成され、この二本の長尺の弾性材の先端は各々前方に略直角に曲げられた屈曲部が設けられ、この両屈曲部には凹部底面が相対向する平面となっている凹部を有する挟持体が取付けられていることを特徴とするお神札固定具。
【請求項２】
上記支持体にはビス穴が設けられていることを特徴とする請求項１記載のお神札固定具。
【請求項３】
上記支持体を連結させるアームを備えた台座に請求項１または請求項２記載のお神札固定具を連結したことを特徴とするお神札立て。
【発明の詳細な説明】
【０００１】
【発明が属する技術分野】
本発明は、木製のお神札を挟持して壁面や棚にお祭りする固定具及びお神札立てに関するものである。
【０００２】
【従来の技術】
本来であれば、神棚にお祭りすべきお神札であるが、現代では欧風住宅やマンションなどにおける生活が一般化し、神棚自体を準備していない家庭や店舗・事務所などが増化している。そのような場所においてお神札をお祭りする場合、家具の上に立てかけたり、壁面に押しピンなどで挟むように固定したりと、かなり不安定な状態となっている。
【０００３】
そこで、公開実用新案公報平３−９８６８０に示されるように簡易的な建具にお神札を立てかけ、その表面から押えバネで固定することを特徴とする固定具が提供されている。しかし、この方法ではお神札を表面から挟持する押えバネが露に見え、神聖なお神札の外観を大きく損なうものとなる。
【０００４】
【発明が解決しようとする課題】
本発明が解決しようとする課題は、簡素な構造にてさまざまな幅のお神札を、その尊厳と外観を損なうことのないよう、側面から保持するお神札固定具及びお神札立てを提供することである。
【０００５】
【課題を解決するための手段】
請求項１記載のお神札固定具（以下本発明１という）は、裏面が平坦な支持体から、二本の長尺の弾性材が距離をおいて互いに異方向の斜め上方に延設され、前方から見た時にＸ字状となるよう形成され、この二本の長尺の弾性材の先端は各々前方に直角に曲げられた屈曲部が設けられ、両屈曲部には相対向する平面を備えた凹部を有する挟持体が取付けられていることを特徴とする。
【０００６】
請求項２記載のお神札固定具（以下本発明２という）は、上記支持体にはビス穴が設けられていることを特徴とする。
【０００７】
請求項３記載のお神札立て（以下本発明３という）は、上記支持体を連結させるためのアームを備えた台座に、本発明１又は本発明２のお神札固定具を連結したことを特徴とする。
【０００８】
【発明の実施の形態】
以下、添付図面に基づいて本発明の実施例について詳細説明をするが、例示は単に説明用のものであり、後述する具体的構成に限定されるものではなく、必要に応じ適宜構成を変形、追加又は削除した構成としても良い。
【０００９】
図１は本発明１の実施例の形態の一例を示す説明図である。裏面が平坦な長さ６０ｍｍ、幅３５ｍｍ、厚さ１０ｍｍの小判型の樹脂製の支持体１の両側面の上部から、長さ７０ｍｍ、直径１．５ｍｍの二本のバネ鋼２１、２２が、２０ｍｍの間隔をおいて互いに異方向の斜め上方に延設され、前方から見た時に交角４０度のＸ字状となるよう形成した。
【００１０】
バネ鋼２１、２２の両先端には、各々前方に直角に曲げられ、さらに内側方向に１０度ねじられた、長さ１２ｍｍの屈曲部２３、２４が設けられ、この屈曲部２３、２４を軸として各々直径１１ｍｍ、長さ１５ｍｍの円筒状の樹脂製の挟持体３１、３２が取付けられている。
【００１１】
図２は本発明２の実施例の形態の一例を示す説明図である。支持体１には、壁などに固定するための、直径４．５ｍｍのビス穴１１、１２が設けられている。
【００１２】
図３は本実施例の挟持体３１、３２の部分拡大説明図を示す。挟持体３１、３２の相対する方向側に、縦７ｍｍ、横８ｍｍ、凹みの深さ２ｍｍの凹部３３、３３’が設けられており、その凹部底面３４、３４’はもう一方の挟持体に相対向する平面となっているようにした。
【００１３】
図４は図３の挟持体３１、３２を裏側から見た部分拡大説明図である。挟持体３１、３２の、バネ鋼２１、２２の屈曲部２３、２４が挿入されている側の端面にある挿入孔３５、３５’の周辺に、深さ２ｍｍのＶ字型の切欠き部３６、３６’を設けた。本実施例では、挟持体３１、３２は、屈曲部２３、２４のバネ鋼を軸として、切欠き部３６、３６’の１５度分だけ回転するようにした。
【００１４】
図５は、本発明２を実際に使用している状況を示す。壁面などにビス穴１１、１２と同様の下穴をあけ、支持体１をビス８１、８２にて固定した。本実施例では、壁面などと支持体１とはビスを用いて固定したが、両面テープなどを用いて壁面などに固定しても良い。
【００１５】
挟持体３１、３２の間を指で広げて、木製のお神札９０の両側面が上記凹部底面３４、３４’に接するようにして上からはめ込む。この際、お神札９０の重心付近の側面を挟持体３１、３２が捉えるようにお神札９０を上下させて調整する。本実施例では弾性材としてバネ鋼を用いたので、各神社によって少しずつ寸法が異なるお神札であっても、いずれも容易にはめ込むことができる。
【００１６】
図６は、本発明３の実施例に用いる台座及びアームの一例を示す。幅８０ｍｍ奥行８０ｍｍ厚さ１０ｍｍの木製の台座８３の一辺に、くの字状に曲がり、上方が略垂直と成されており、２つのビス穴を有する長さ９０ｍｍ、幅２０ｍｍ、厚さ１ｍｍの金属製のアーム８４を取り付けた。
【００１７】
図７は、本発明３を実際に使用している状況を示す。本実施例では、アーム８４と支持体１とはビスを用いて固定したが、両面テープを用いて固定しても良い。お神札９０のはめ込み方は本発明２の場合と同様である。
【００１８】
【発明の効果】
本発明１、本発明２のお神札固定具、及び本発明３のお神札立てを用いた際、上記説明の通り、二本の長尺の弾性材２１、２２がＸ字状となるよう形成されて    いるため、神社によって少しずつ大きさが異なるお神札であっても、いずれも表面の外観を損なうことも無く、側面から保持することができる。
【００１９】
また挟持体３１、３２が、その端面の切欠き部３６、３６’の分だけ、適正に回転することにより、凹部３３、３３’の凹部底面３４、３４’がお神札９０の側面に対し、常にぴったりと当接し、お神札９０をしっかりと安定させることが可能となる。さらに、屈曲部２３、２４の先端が各々内側に１０度ねじられていることにより、挟まれたお神札９０が前方に飛び出すことも無い。
【００２０】
上記理由により、神棚を用意していない家庭や事務所などにおいても、壁面や家具の上などの僅かなスペースで端正にお神札をお祭りすることが可能となり、従来のような転倒や落下の心配も無くなる。
【図面の簡単な説明】
【図１】本発明１の実施例の形態の一例を示す説明図である。
【図２】本発明２の実施例の形態の一例を示す説明図である。
【図３】本実施例の挟持体３１、３２の部分拡大説明図を示す。
【図４】図３の挟持体３１、３２を裏側から見た部分拡大説明図である。
【図５】本発明２を実際に使用している状況を示す。
【図６】本発明３の実施例に用いる台座及びアームの一例を示す。
【図７】本発明３を実際に使用している状況を示す。
【符号の説明】
１            支持体
１１、１２    ビス穴
２１、２２    長尺の弾性材
２３、２４    屈曲部
３１、３２    挟持体
３３、３３’    凹部
３４、３４’    凹部底面
３５、３５’    挿入孔
３６、３６’    切欠き部
９０          お神札
８１、８２    ビス
８３          台座
８４          アーム
【図１】
2004248712.tif 000003
【図２】
2004248712.tif 000004
【図３】
2004248712.tif 000005
【図４】
2004248712.tif 000006
【図５】
2004248712.tif 000007
【図６】
2004248712.tif 000008
【図７】
2004248712.tif 000009